(57)【要約】【課題】燃料漏れと不完全燃焼との少なくとも一方に対する安全性をより一層向上し得る開放型燃焼機器を提供する。【解決手段】運転指令手段２０により運転開始が指令されると、送風手段５を作動させ且つ点火手段２を作動させ且つ燃料断続手段Ｖを燃料供給状態に切り換える点火処理を実行する制御手段４が設けられた開放型燃焼機器であって、制御手段４が、ガスセンサ３，１７の濃度対応信号が燃料漏れ又は不完全燃焼を検知するための異常検知用設定値よりもガス濃度が高い信号になって燃料漏れ又は不完全燃焼を検知すると、燃料断続手段Ｖを供給停止状態に切り換えた後、ガスセンサ３，１７の濃度対応信号が異常検知用設定値に比してガス濃度が等しいか低い濃度対応信号に設定された待機解除用設定値よりもガス濃度が低い信号になるまで、バーナ１の燃焼開始を禁止するように構成されている。【選択図】図２
2010164213.tif 000002
【特許請求の範囲】
【請求項１】
供給される燃料を燃焼させるバーナと、
前記バーナを点火する点火手段と
前記バーナに燃焼用空気を供給する送風手段と、
前記バーナへ燃料を供給する燃料供給状態と前記バーナへの燃料の供給を停止する燃料供給停止状態とに切り換え自在な燃料断続手段と、
可燃性ガスと不完全燃焼ガスとの少なくとも一方に感応して可燃性ガスと不完全燃焼ガスとの少なくとも一方のガス濃度に応じた濃度対応信号を出力するガスセンサと、
運転指令手段により運転開始が指令されると、前記送風手段を作動させ且つ前記点火手段を作動させ且つ前記燃料断続手段を前記燃料供給状態に切り換える点火処理を実行する制御手段とが設けられた開放型燃焼機器であって、
前記制御手段が、前記ガスセンサの濃度対応信号が燃料漏れ又は不完全燃焼を検知するための異常検知用設定値よりもガス濃度が高い信号になって燃料漏れ又は不完全燃焼を検知すると、前記燃料断続手段を前記供給停止状態に切り換えた後、前記ガスセンサの濃度対応信号が前記異常検知用設定値に比してガス濃度が等しいか低い濃度対応信号に設定された待機解除用設定値よりもガス濃度が低い信号になるまで、前記バーナの燃焼開始を禁止するように構成されている開放型燃焼機器。
【請求項２】
前記制御手段が、燃料漏れ又は不完全燃焼を検知すると、前記ガスセンサの濃度対応信号が前記待機解除用設定値よりもガス濃度が低い信号になるまで、前記送風手段の作動を継続するように構成されている請求項１に記載の開放型燃焼機器。
【請求項３】
前記制御手段が、前記運転指令手段により運転開始が指令されると、前記ガスセンサを可燃性ガスと不完全燃焼ガスとの少なくとも一方に感応させることが可能な検出可能状態にすべく前記ガスセンサを起動し、前記運転指令手段により運転停止が指令されると前記ガスセンサの作動を停止し、燃料漏れ又は不完全燃焼を検知して前記燃料断続手段を前記供給停止状態に切り換えるときは、前記ガスセンサを前記検出可能状態に維持するように構成されている請求項１又は２に記載の開放型燃焼機器。
【請求項４】
前記制御手段が燃料漏れ又は不完全燃焼を検知すると、換気を促すことを示す情報を出力する警報手段が設けられている請求項１〜３のいずれか１項に記載の開放型燃焼機器。
【請求項５】
前記ガスセンサが、可燃性ガスに感応してその可燃性ガスの濃度に応じた濃度対応信号を出力するように構成され、
ガス燃料供給源に対して装着された供給源側接続具が着脱自在で且つその供給源側接続具が接続された状態で前記バーナへのガス燃料を受け入れる機器側接続具と、
前記供給源側接続具と前記機器側接続具とが接続状態であるか非接続状態であるかを検知する接続状態検知手段とが設けられ、
前記制御手段が、燃料漏れを検知したときに、前記接続状態検知手段により前記接続状態から前記非接続状態への変化が検知された後に再び前記接続状態であると検知されるまで、前記バーナの燃焼開始を禁止するように構成されている請求項１〜４のいずれか１項に記載の開放型燃焼機器。
【請求項６】
前記バーナが、吸気口及び吹出し口が設けられたケーシング内に設けられ、
前記送風手段が、前記吸気口を通して吸い込んだケーシング外の空気を燃焼用空気として前記バーナに供給し且つそのバーナの燃焼ガスを前記吹出し口からケーシング外に吹き出すように通風作用する状態で前記ケーシング内に設けられ、
前記ガスセンサが、前記吸気口を通して吸い込まれる空気中の可燃性ガス又は不完全燃焼ガスに感応するように前記吸気口又は前記吸気口付近に設けられている請求項１〜５のいずれか１項に記載の開放型燃焼機器。
【発明の詳細な説明】
【技術分野】
【０００１】
本発明は、供給される燃料を燃焼させるバーナと、
前記バーナを点火する点火手段と
前記バーナに燃焼用空気を供給する送風手段と、
前記バーナへ燃料を供給する燃料供給状態と前記バーナへの燃料の供給を停止する燃料供給停止状態とに切り換え自在な燃料断続手段と、
可燃性ガスと不完全燃焼ガスとの少なくとも一方に感応して可燃性ガスと不完全燃焼ガスとの少なくとも一方のガス濃度に応じた濃度対応信号を出力するガスセンサと、
運転指令手段により運転開始が指令されると、前記送風手段を作動させ且つ前記点火手段を作動させ且つ前記燃料断続手段を前記燃料供給状態に切り換える点火処理を実行する制御手段とが設けられた開放型燃焼機器に関する。
【背景技術】
【０００２】
かかる開放型燃焼機器は、バーナの燃焼ガスが室内に放出される状態で運転されるものであり、具体例として、例えば、ガスファンヒータやガスストーブ等が挙げられる。
そして、運転指令手段により運転開始を指令すると、送風手段を作動させ且つ点火手段を作動させ且つ燃料断続手段を燃料供給状態に切り換える点火処理が実行されて、バーナが燃焼されるように構成されている。
【０００３】
このような開放型燃焼機器の従来例として、可燃性ガスに感応してその可燃性ガスの濃度に応じた濃度対応信号を出力するガスセンサが設けられ、バーナの燃焼中にガスセンサの濃度対応信号に基づいて燃料漏れを検知すると、燃料断続手段を燃料供給停止状態に切り換えることによりバーナを消火するように構成されて、燃料漏れに対する安全対策が講じられたものがある（例えば、特許文献１参照。）。
又、このような開放型燃焼機器の別の従来例として、不完全燃焼ガスに感応してその不完全燃焼ガスの濃度に応じた濃度対応信号を出力するガスセンサが設けられ、バーナの燃焼中にガスセンサの濃度対応信号に基づいて不完全燃焼を検知すると、燃料断続手段を燃料供給停止状態に切り換えることによりバーナを消火するように構成されて、不完全燃焼に対する安全対策が講じられたものがある（例えば、特許文献２参照。）。
【０００４】
そして、上記の特許文献１や特許文献２には記載されていないが、従来、このような開放型燃焼機器においては、燃料漏れを検知してバーナを消火したのちや、不完全燃焼を検知してバーナを消火したのちに、そのままの状態で運転指令手段により運転開始が指令されると、運転開始指令を受け付けて点火処理を実行するように構成されていた。
【先行技術文献】
【特許文献】
【０００５】
【特許文献１】特開２００１−６５９８９号公報
【特許文献２】特開２００８−１４５５１号公報
【発明の概要】
【発明が解決しようとする課題】
【０００６】
しかしながら、従来の開放型燃焼機器では、燃料漏れを検知してバーナを消火したのちや不完全燃焼を検知してバーナを消火したのちに、運転指令手段により運転開始が指令されると、その状態のままで運転開始指令を受け付けて点火処理を実行するように構成されているので、燃料漏れや不完全燃焼の検知によりバーナを消火させたにもかかわらず、その後直ぐにバーナを点火してしまう可能性がある。よって、従来の開放型燃焼機器では、燃料漏れや不完全燃焼に対する安全性をより一層向上する上で改善の余地があった。
【０００７】
本発明は、かかる実情に鑑みてなされたものであり、その目的は、燃料漏れと不完全燃焼との少なくとも一方に対する安全性をより一層向上し得る開放型燃焼機器を提供することにある。
【課題を解決するための手段】
【０００８】
本発明の開放型燃焼機器は、供給される燃料を燃焼させるバーナと、
前記バーナを点火する点火手段と
前記バーナに燃焼用空気を供給する送風手段と、
前記バーナへ燃料を供給する燃料供給状態と前記バーナへの燃料の供給を停止する燃料供給停止状態とに切り換え自在な燃料断続手段と、
可燃性ガスと不完全燃焼ガスとの少なくとも一方に感応して可燃性ガスと不完全燃焼ガスとの少なくとも一方のガス濃度に応じた濃度対応信号を出力するガスセンサと、
運転指令手段により運転開始が指令されると、前記送風手段を作動させ且つ前記点火手段を作動させ且つ前記燃料断続手段を前記燃料供給状態に切り換える点火処理を実行する制御手段とが設けられたものであって、
第１特徴構成は、前記制御手段が、前記ガスセンサの濃度対応信号が燃料漏れ又は不完全燃焼を検知するための異常検知用設定値よりもガス濃度が高い信号になって燃料漏れ又は不完全燃焼を検知すると、前記燃料断続手段を前記供給停止状態に切り換えた後、前記ガスセンサの濃度対応信号が前記異常検知用設定値に比してガス濃度が等しいか低い濃度対応信号に設定された待機解除用設定値よりもガス濃度が低い信号になるまで、前記バーナの燃焼開始を禁止するように構成されている点にある。
【０００９】
即ち、燃料漏れ又は不完全燃焼あるいはそれらの両方が検知されることにより、燃料断続手段が供給停止状態に切り換えられてバーナが消火されたときは、ガスセンサの濃度対応信号が待機解除用設定値よりもガス濃度が低い信号になるまで、バーナの燃焼開始が禁止される。
つまり、燃料漏れが検知されてバーナが消火されたときは、可燃性ガスの濃度が燃料漏れを検知するための濃度よりも低い安全な濃度になるまで、運転指令手段により運転開始を指令しても、バーナの燃焼を再開することができない。
又、不完全燃焼が検知されてバーナが消火されたときは、不完全燃焼ガスの濃度が不完全燃焼を検知するための濃度よりも低い安全な濃度になるまで、運転指令手段により運転開始を指令しても、バーナの燃焼を再開することができない。
従って、燃料漏れと不完全燃焼との少なくとも一方に対する安全性をより一層向上し得る開放型燃焼機器を提供することができるようになった。
【００１０】
第２特徴構成は、上記第１特徴構成に加えて、
前記制御手段が、燃料漏れ又は不完全燃焼を検知すると、前記ガスセンサの濃度対応信号が前記待機解除用設定値よりもガス濃度が低い信号になるまで、前記送風手段の作動を継続するように構成されている点にある。
【００１１】
即ち、燃料漏れ又は不完全燃焼が検知されると、燃料断続手段が直ちに供給停止状態に切り換えられてバーナが消火されるが、ガスセンサの濃度対応信号が待機解除用設定値よりもガス濃度が低い信号になるまで送風手段の作動が継続される。それによって、室内の換気が促進されて、可燃性ガスの濃度又は不完全燃焼ガスの濃度が低下するのが促進されるので、ガスセンサの濃度対応信号が待機解除用設定値よりもガス濃度が低い信号になってバーナの燃焼の再開が可能になるまでの時間が短縮されることになる。
つまり、燃料漏れ又は不完全燃焼が検知されてバーナが消火されたときに、安全にバーナの燃焼を再開できるようになるまでの時間を短縮することが可能となる。
【００１２】
ちなみに、運転停止指令に基づいてバーナを消火する通常の消火時は、一般には、燃料断続手段を燃料供給停止状態に切り換えてからポストパージ用の設定時間が経過すると送風手段を停止するように構成されるので、燃料漏れ又は不完全燃焼を検知してバーナを消火するときも、通常のバーナの消火時と同様に、燃料断続手段を燃料供給停止状態に切り換えてからポストパージ用の設定時間が経過すると送風手段を停止するように構成することが考えられる。
しかしながら、ポストパージ用の設定時間は、開放型燃焼機器内の燃焼ガスを機器外に放出できる程度の短い時間に設定されるものであるので、燃料漏れ又は不完全燃焼を検知してバーナを消火したときに、ポストパージ用の設定時間の間送風手段を作動させるだけでは、可燃性ガスの濃度又は不完全燃焼ガスの濃度が十分に低下するまで室内が換気されない。そして、ポストパージ用の設定時間が経過した以降は、自然換気により室内が換気されることになるので、ガスセンサの濃度対応信号が待機解除用設定値よりもガス濃度が低い信号になって、安全にバーナの燃焼を再開できるようになるまでの時間を十分に短縮することができない。
従って、運転が再開できるようになるまでの時間が長くなるのを抑制して使い勝手が低下するのを抑制しながら、燃料漏れと不完全燃焼との少なくとも一方に対する安全性をより一層向上することができるようになった。
【００１３】
第３特徴構成は、上記第１又は第２特徴構成に加えて、
前記制御手段が、前記運転指令手段により運転開始が指令されると、前記ガスセンサを可燃性ガスと不完全燃焼ガスとの少なくとも一方に感応させることが可能な検出可能状態にすべく前記ガスセンサを起動し、前記運転指令手段により運転停止が指令されると前記ガスセンサの作動を停止し、燃料漏れ又は不完全燃焼を検知して前記燃料断続手段を前記供給停止状態に切り換えるときは、前記ガスセンサを前記検出可能状態に維持するように構成されている点にある。
【００１４】
即ち、運転開始が指令されるとガスセンサを起動し、運転停止が指令されるとガスセンサの作動を停止するようにすることにより、待機電力を低減することができる。
そして、燃料漏れ又は不完全燃焼を検知して燃料断続手段を供給停止状態に切り換えるときは、ガスセンサが検出可能状態に維持されるので、そのように検出可能状態に維持されたガスセンサの検出情報に基づいて、可燃性ガスの濃度又は不完全燃焼ガスの濃度が低下してバーナの燃焼を安全に再開できる状態になるのを的確に検出することができる。よって、運転開始が指令されるとガスセンサを起動するようにすることにより、ガスセンサが検出可能状態になるまでに多少の時間がかかっても、予め可燃性ガスの濃度又は不完全燃焼ガスの濃度が十分に低下して安全が確認された状態でバーナの燃焼を再開しているので、安全性が損なわれることがない。
従って、待機電力を低減しながらも、燃料漏れと不完全燃焼との少なくとも一方に対する安全性をより一層向上することができるようになった。
【００１５】
第４特徴構成は、上記第１〜第３特徴構成のいずれか１つに加えて、
前記制御手段が燃料漏れ又は不完全燃焼を検知すると、換気を促すことを示す情報を出力する警報手段が設けられている点にある。
【００１６】
即ち、燃料漏れ又は不完全燃焼が検知されてバーナが消火されると、警報手段により、換気を促すことを示す情報が出力されるので、使用者は、そのような換気を促すことを示す情報を認識して、窓を開ける、換気扇を作動させる等、室内の換気を促進するための処置を講ずることができる。
従って、運転が再開できるようになるまでの時間が長くなるのをより一層抑制して使い勝手が低下するのをより一層抑制しながら、燃料漏れと不完全燃焼との少なくとも一方に対する安全性をより一層向上することができるようになった。
【００１７】
第５特徴構成は、上記第１〜第４特徴構成のいずれか１つに加えて、
前記ガスセンサが、可燃性ガスに感応してその可燃性ガスの濃度に応じた濃度対応信号を出力するように構成され、
ガス燃料供給源に対して装着された供給源側接続具が着脱自在で且つその供給源側接続具が接続された状態で前記バーナへのガス燃料を受け入れる機器側接続具と、
前記供給源側接続具と前記機器側接続具とが接続状態であるか非接続状態であるかを検知する接続状態検知手段とが設けられ、
前記制御手段が、燃料漏れを検知したときに、前記接続状態検知手段により前記接続状態から前記非接続状態への変化が検知された後に再び前記接続状態であると検知されるまで、前記バーナの燃焼開始を禁止するように構成されている点にある。
【００１８】
即ち、供給源側接続具を機器側接続具に接続すると、接続状態検知手段により、供給源側接続具と機器側接続具とが接続状態であると検知され、供給源側接続具を機器側接続具から取り外すと、接続状態検知手段により、供給源側接続具と機器側接続具とが非接続状態であると検知される。
そして、燃料漏れが検知されたときには、接続状態検知手段により接続状態から非接続状態への変化が検知された後に再び接続状態であると検知されるまで、運転指令手段により運転開始を指令してもバーナの燃焼が再開されない。
【００１９】
つまり、接続状態検知手段により接続状態であると検知されていても、塵、砂粒等、微小な異物を噛み込んだ状態で供給源側接続具が機器側接続具に接続されていることがあり、このような場合に、供給源側接続具と機器側接続具との接続箇所から燃料が漏れていることが考えられる。
そのような場合、一旦、供給源側接続具を機器側接続具から取り外して、再度、供給源側接続具を機器側接続具に接続し直すことにより、噛み込んだ異物が除去されて、燃料漏れが解消される可能性が大きい。
そこで、本特徴構成では、燃料漏れが検知されてバーナが消火されたときは、供給源側接続具を機器側接続具から取り外して供給源側接続具を機器側接続具に接続し直さないと、バーナの燃焼が再開されないようにしている。これにより、異物を噛み込んだ状態で供給源側接続具が機器側接続具に接続されている場合の燃料漏れの原因を解消した上で、バーナの燃焼を再開することができるのである。
従って、燃料漏れが検知されてバーナが消火されたときには、燃料漏れの原因を解消して可燃性ガスの濃度が安全な濃度に低下した後に、バーナの燃焼を再開することができるので、燃料漏れに対する安全性をより一層向上することができるようになった。
【００２０】
第６特徴構成は、上記第１〜第５特徴構成のいずれか１つに加えて、
前記バーナが、吸気口及び吹出し口が設けられたケーシング内に設けられ、
前記送風手段が、前記吸気口を通して吸い込んだケーシング外の空気を燃焼用空気として前記バーナに供給し且つそのバーナの燃焼ガスを前記吹出し口からケーシング外に吹き出すように通風作用する状態で前記ケーシング内に設けられ、
前記ガスセンサが、前記吸気口を通して吸い込まれる空気中の可燃性ガス又は不完全燃焼ガスに感応するように前記吸気口又は前記吸気口付近に設けられている点にある。
【００２１】
即ち、開放型燃焼機器の具体例が、ガス燃料や液体燃料を燃料とするファンヒータである場合、送風手段により、吸気口を通して吸い込んだケーシング外の空気を燃焼用空気としてバーナに供給し、並びに、そのバーナの燃焼ガスをケーシングに設けられた吹出し口からケーシング外に吹き出すことにより、暖房対象空間を暖房することになる。
そして、ガスセンサが、吸気口を通して吸い込まれる空気中の可燃性ガス又は不完全燃焼ガスに感応するように吸気口又は吸気口付近に設けられているので、暖房対象空間の空気中に含まれる可燃性ガス又は不完全燃焼ガスに感応してガスセンサから出力される濃度対応信号に基づいて、燃料漏れ又は不完全燃焼を検知することができるようになり、燃料漏れ又は不完全燃焼により安全性が損なわれるのを的確に検知することができる。
従って、燃料漏れと不完全燃焼との少なくとも一方に対する安全性をより一層向上し得るファンヒータを提供することができるようになった。
【図面の簡単な説明】
【００２２】
【図１】開放型燃焼機器の概略構成を示す縦断側面図である。
【図２】開放型燃焼機器の制御構成のブロック図である。
【図３】プラグと継手部材とが接続されていない状態を示す継手部材の軸心に沿う面での一部断面図である。
【図４】プラグと継手部材とが接続された状態を示す継手部材の軸心に沿う面での一部断面図である。
【図５】開放型燃焼機器の制御動作のフローチャートを示す図である。
【発明を実施するための形態】
【００２３】
以下、図面に基づいて、本発明を開放型燃焼機器の一例としてのガスファンヒータに適用した場合の実施形態を説明する。
図１及び図２に示すように、ガスファンヒータは、供給されるガス燃料を燃焼させるバーナ１と、そのバーナ１を点火する点火手段としてのイグナイタ２と、バーナ１に燃焼用空気を供給する送風手段としての送風機５と、バーナ１へガス燃料を供給する燃料供給状態とバーナ１へのガス燃料の供給を停止する燃料供給停止状態とに切り換え自在な燃料断続手段Ｖと、可燃性ガスとしてのガス燃料に感応して可燃性ガスの濃度に応じた濃度対応信号を出力する可燃性ガスセンサ３と、不完全燃焼ガスとしての一酸化炭素ガスに感応して不完全燃焼ガスの濃度に応じた濃度対応信号を出力するＣＯセンサ１７と、ガスファンヒータの運転を制御する制御手段としての制御部４等を備えて構成されている。
つまり、可燃性ガスに感応して可燃性ガスのガス濃度に応じた濃度対応信号を出力するガスセンサとして、前記可燃性ガスセンサ３が設けられ、不完全燃焼ガスに感応して不完全燃焼ガスのガス濃度に応じた濃度対応信号を出力するガスセンサとして、前記ＣＯセンサ１７が設けられている。
このガスファンヒータには、更に、ガスファンヒータの駆動用電力を供給する定電圧回路６、及び、制御部４に各種制御指令を指令する操作部７も設けられている。
【００２４】
図１に示すように、バーナ１は、背面の上方側に吸気口８を備え且つ前面の下方側に吹出し口９を備えたケーシング１０内に収納されている。
そのケーシング１０内には、吸気口８を通して吸い込まれたケーシング外の空気の一部をバーナ１に燃焼用空気として案内し、残部をバーナ１の燃焼ガスと混合させた状態で吹出し口９に案内するように、内部風路１１が形成されている。又、吸気口８には、エアフィルタ１２が設けられている。
送風機５は、吸気口８に対して吸い込み作用させ且つその吐出部を吹出し口９に臨ませた状態で、つまり、吸気口８を通して吸い込んだケーシング外の空気の一部を燃焼用空気としてバーナ１に供給し且つ残部をバーナ１の燃焼ガスと混合させた状態で吹出し口９からケーシング外に吹き出すように通風作用する状態で、内部風路１１の途中に設けられている。
そして、送風機５の通風作用により、吸気口８を通して吸い込まれた暖房対象空間の空気にバーナ１の燃焼ガスを混合させて温風を生成し、その温風を吹出し口９から暖房対象空間に吹き出して、暖房対象空間を暖房することになる。
【００２５】
図１に示すように、イグナイタ２は、バーナ１の炎口（図示省略）の上方に設けられ、更に、バーナ１の着火を検出する熱電対１３も、バーナ１の炎口の上方に設けられている。
図１及び図２に示すように、バーナ１にガス燃料を供給する燃料供給路１４には、その燃料供給路１４を開閉する電磁式の開閉弁１５、及び、バーナ１への燃料供給量を調整する電磁式の比例弁１６が設けられ、これら開閉弁１５と比例弁１６とにより燃料断続手段Ｖが構成される。
燃料供給路１４のガス受け入れ側の端部には、ガスホース２９に装着された供給源側接続具としての継手部材３０が着脱自在で且つその継手部材３０が接続された状態でバーナ１へのガス燃料を受け入れる機器側接続具としてのプラグ４０が装着されている。
又、継手部材３０とプラグ４０との接続状態を検知する接続状体検知手段としての接続検知スイッチ２８が設けられている。
この実施形態では、ガスホース２９は、例えば、都市ガス（１３Ａ等、メタンガス（ＣＨ4）を主成分とするガス）が供給される都市ガス管（図示省略）に接続されて、都市ガスがバーナ１に供給される。そして、可燃性ガスセンサ３は、例えば、可燃性ガスとしてのメタンガスに感応して可燃性ガスの濃度に応じた濃度対応信号を出力するように構成されている。
【００２６】
可燃性ガスセンサ３は、吸気口８を通して吸い込まれる空気中の可燃性ガスに感応するようにケーシング１０の吸気口８に設けられ、ＣＯセンサ１７も、吸気口８を通して吸い込まれる空気中の不完全燃焼ガスに感応するようにケーシング１０の吸気口８に設けられている。
【００２７】
定電圧回路６は、商用の交流電源を降圧し且つ整流平滑して所定の直流電圧を得るように構成されている。そして、ガスファンヒータに機器駆動用電力を供給するための電源コード１８のプラグ１９が商用電力が供給される電源コンセント（図示省略）に挿入されると、定電圧回路６から、制御部４にそれを駆動するための駆動用電力が供給されるように構成されている。
【００２８】
可燃性ガスセンサ３及びＣＯセンサ１７は、周知であるので詳細な説明及び図示を省略して簡単に説明する。
この実施形態では、例えば、可燃性ガスセンサ３及びＣＯセンサ１７はいずれも半導体式のセンサが用いられ、この半導体式のセンサは、酸化錫等の金属酸化物半導体からなり、可燃性ガスや一酸化炭素ガスに接触したときに抵抗値が変化するセンサ素子を備えて構成されている。
そして、可燃性ガスセンサ３は、可燃性ガスの濃度に応じて変化するセンサ素子の抵抗値の変化を電圧の変化として出力するように構成されて、センサ素子の抵抗値に応じた電圧（以下、検出電圧と記載する場合がある）を可燃性ガスの濃度に応じた濃度対応信号として出力するように構成されている。
又、ＣＯセンサ１７は、一酸化炭素ガスの濃度に応じて変化するセンサ素子の抵抗値の変化を電圧の変化として出力するように構成されて、センサ素子の抵抗値に応じた電圧（以下、検出電圧と記載する場合がある）を一酸化炭素ガスの濃度に応じた濃度対応信号として出力するように構成されている。
【００２９】
例えば、可燃性ガスセンサ３は、可燃性ガスの濃度が高くなるほどそのセンサ素子の抵抗値が低くなって検出電圧が高くなるように構成され、同様に、ＣＯセンサ１７も、一酸化炭素ガスの濃度が高くなるほどそのセンサ素子の抵抗値が低くなって検出電圧が高くなるように構成されている。
【００３０】
各センサ３，１７は、センサ素子を加熱する電気ヒータ（図示省略）、及び、その電気ヒータの加熱作動を制御する加熱制御部（図示省略）等を備えて構成され、各センサ３，１７に定電圧回路６からセンサ駆動用電力が供給されるのに伴って、電気ヒータによりセンサ素子の加熱が開始され、以降、センサ素子の温度が所定の加熱目標温度になるように電気ヒータの加熱作動が制御されるように構成されている。
そして、可燃性ガスセンサ３及びＣＯセンサ１７夫々のセンサ素子が夫々に対して設定された加熱目標温度に加熱されると、可燃性ガスセンサ３は可燃性ガスに感応してその可燃性ガスの濃度を十分な精度で検出可能な検出可能状態になり、ＣＯセンサ１７は一酸化炭素ガスに感応してその一酸化炭素ガスの濃度を十分な精度で検出可能な検出可能状態になる。
【００３１】
図３及び図４に基づいて、継手部材３０、プラグ４０及び接続検知スイッチ２８について、説明を加える。
図３は、プラグ４０に継手部材３０が接続されていない非接続状態を示しており、図４は、プラグ４０に継手部材３０が接続された接続状態を示している。
【００３２】
継手部材３０は、図３に示すようにプラグ４０に接続されていない非接続状態では、継手部材先端からのガス燃料の流出が停止される閉止状態となり、図４に示すようにプラグ４０に接続された接続状態では、継手部材先端からのガス燃料の流出が許容される開放状態となるように構成されている。
継手部材３０及びプラグ４０の両者の構成については、公知な構成であるので、以下、簡単に説明する。
【００３３】
継手部材３０は、筒状本体３１と、ガスホース２９を接続するコネクタ３２と、筒状本体３１の内部にその軸心方向に沿って移動自在に配設された作動部材３３と、筒状本体３１の外周部の先端側にその軸心方向に沿って移動自在に配設された筒状のスリーブ部材３４と、筒状本体３１の外周部の基端側部分を覆うカバー部材３５と、筒状本体３１の先端側の部分にその周方向に間隔を隔てて形成された複数のボール配設孔に各別に配設された複数のロック用ボール３６等を備えて構成されている。
【００３４】
図３に示すように、閉止状態の継手部材３０では、作動部材３３が図示省略のコイルバネ等の付勢手段によりコネクタ３２の側とは反対側に位置する状態に保持される。このように保持された作動部材３３により、ロック用ボール３６が径方向外方に押圧されてスリーブ部材３４に係合する状態となり、スリーブ部材３４が継手部材基端側に位置する状態に保持される。
そして、閉止状態の継手部材３０では、筒状本体３１の内部と作動部材３３の内部とが非連通状態となり、継手部材３０の先端からのガス燃料の流出が停止されることになる。
【００３５】
又、図４に示すように、開放状態の継手部材３０では、プラグ４０により作動部材３３が継手部材基端側に押し込まれて、筒状本体３１の内部と作動部材３３の内部とが連通状態となって、コネクタ３２、筒状本体３１の内部、作動部材３３の内部に亘って連通路が形成されることになり、ガス燃料がコネクタ３２から流入して継手部材３０の先端から流出することが許容される。
そして、開放状態の継手部材３０では、ロック用ボール３６がプラグ４０のロック溝４７に嵌まり込み、ロック用ボール３６がスリーブ部材３４に係合する状態が解除されて、スリーブ部材３４が図示省略のコイルバネ等の付勢手段により継手部材先端側に移動する。
【００３６】
図３及び図４に示すように、プラグ４０は、その基端から先端に向けて、プラグ本体部４１と、そのプラグ本体部４１よりも小径の小径部４２と、その小径部４２よりも小径で継手部材３０に接続される接続部４３と、軸心方向に貫通する内部ガス流路４４とを備えて構成されている。
接続部４３は、先端側の第１環状部４５と基端側の第２環状部４６とそれらの間のロック溝４７とを備えて構成されている。
その接続部４３は、継手部材３０の筒状本体３１内にその内周面に摺接する状態で挿入可能に構成され、小径部４２の外径は、継手部材３０のスリーブ部材３４の内径よりも小径であり、プラグ本体部４１の外径は、継手部材３０のスリーブ部材３４の内径よりも大径である。
【００３７】
接続検知スイッチ２８は、突出する方向（図３で破線矢印にて示す）に付勢された作用部２８ｓを備えて、その作用部２８ｓが押し込まれた状態でオン状態になるように構成されている。
そして、このような接続検知スイッチ２８が、その作用部２８ｓがプラグ４０のプラグ本体部４１よりも先端側に突出する状態で、そのプラグ本体部４１の外周部に設けられている。
図示は省略するが、接続検知スイッチ２８のオンオフ信号が制御部４に伝送されるように、接続検知スイッチ２８と制御部４とがリード線にて接続されている。
【００３８】
次に、プラグ４０に継手部材３０を接続したり継手部材３０をプラグ４０から取り外すときのプラグ４０及び継手部材３０夫々の作用、並びに、接続検知スイッチ２８の作用について説明する。
継手部材３０をプラグ４０に接続するときは、図３に示す如き閉止状態の継手部材３０を、その筒状本体３１内にプラグ４０の接続部４３を挿入させる状態でプラグ４０に向けて移動させる。すると、プラグ４０の接続部４３により作動部材３３が継手部材基端側に押し込まれながら、図４に示す如く、ロック用ボール３６が接続部４３のロック溝４７に近づいてそのロック溝４７に嵌まり込み、それに伴って、スリーブ部材３４がロック用ボール３６に係合される状態が解除されて、スリーブ部材３４が継手部材先端側に突出して、継手部材３０がプラグ４０に接続される。そして、そのようにスリーブ部材３４が継手部材先端側に突出すると、スリーブ部材３４の先端面が接続検知スイッチ２８の作用部２８ｓに当接してその作用部２８ｓが押し込まれることになって、接続検知スイッチ２８がオン状態に切り換えられる。
【００３９】
継手部材３０をプラグ４０から取り外すときは、図４に示す如きプラグ４０に接続された継手部材３０のスリーブ部材３４を図示省略の付勢手段の付勢力に抗して継手部材基端側に移動させる。すると、接続検知スイッチ２８の作用部２８ｓがスリーブ部材３４により押圧される状態が解除されて作用部２８ｓが突出し、それによって接続検知スイッチ２８がオフ状態に切り換えられる。又、ロック用ボール３６が径方向外方に移動することが許容される状態となり、それによって、継手部材３０をプラグ４０の接続部４３から引き抜くことが可能となり、継手部材３０をプラグ４０から取り外すことができる。
【００４０】
図２に示すように、操作部７には、ガスファンヒータの運転開始及び運転停止を指令する運転指令手段としての運転スイッチ２０、燃料漏れや不完全燃焼を検知したときに換気を促す旨のメッセージ等を報知するスピーカ２１、燃料漏れや不完全燃焼を検知したときに点灯する異常報知ランプ２２、暖房目標温度を設定する温度設定部２３、暖房目標温度、室内温度等の各種情報を表示する表示部（図示省略）等が設けられている。
運転スイッチ２０は、押し操作が繰り返される毎に、運転開始と運転停止とが交互に指令されるように構成されている。
【００４１】
以下、制御部４の制御動作について説明する。
制御部４には、予め、燃料漏れを検知するための可燃性ガスセンサ３の濃度対応信号に設定された燃料漏れ検知用設定値Ｓｍａ（異常検知用設定値に相当する）、その燃料漏れ検知用設定値Ｓｍａよりも可燃性ガス濃度が低い濃度対応信号に設定された燃料漏れ時待機解除用設定値Ｓｍｒ（待機解除用設定値に相当する）、不完全燃焼を検知するためのＣＯセンサ１７の濃度対応信号に設定された不完全燃焼検知用設定値Ｓｃａ（異常検知用設定値に相当する）、及び、その不完全燃焼検知用設定値Ｓｃａよりも一酸化炭素ガス濃度が低い濃度対応信号に設定された不完全燃焼時待機解除用設定値Ｓｃｒ（待機解除用設定値に相当する）が記憶されている。
この実施形態では、燃料漏れ時待機解除用設定値Ｓｍｒが燃料漏れ検知用設定値Ｓｍａよりも可燃性ガス濃度が低い濃度対応信号に設定され、不完全燃焼時待機解除用設定値Ｓｃｒが不完全燃焼検知用設定値Ｓｃａよりも一酸化炭素ガス濃度が低い濃度対応信号に設定されているが、燃料漏れ検知用設定値Ｓｍａや不完全燃焼検知用設定値Ｓｃａは安全サイドの設定値であるため、燃料漏れ時待機解除用設定値Ｓｍｒが燃料漏れ検知用設定値Ｓｍａと可燃性ガス濃度が等しい濃度対応信号に設定され、不完全燃焼時待機解除用設定値Ｓｃｒが不完全燃焼検知用設定値Ｓｃａと一酸化炭素ガス濃度が等しい濃度対応信号に設定されてもよい。
【００４２】
ちなみに、燃料漏れ検知用設定値Ｓｍａは、例えば３０００ｐｐｍのメタンガスの濃度に対応する濃度対応信号に設定され、燃料漏れ時待機解除用設定値Ｓｍｒは、例えば１０００ｐｐｍのメタンガスの濃度に対応する濃度対応信号に設定される。
又、不完全燃焼検知用設定値Ｓｃａは、例えば３００ｐｐｍの一酸化炭素ガスの濃度に対応する濃度対応信号に設定され、不完全燃焼時待機解除用設定値Ｓｃｒは、例えば１００ｐｐｍのメタンガスの濃度に対応する濃度対応信号に設定される。
【００４３】
制御部４は、電源コード１８のプラグ１９が電源コンセントに挿入されるのに伴って駆動用電力の供給が開始されると制御動作を開始する。
そして、制御部４は、運転スイッチ２０により運転開始が指令されると、可燃性ガスセンサ３及びＣＯセンサ１７夫々を検出可能状態にすべく、夫々にセンサ駆動用電力を供給するように夫々の加熱制御部の作動を制御することにより夫々を起動し、並びに、接続検知スイッチ２８がオン状態であって継手部材３０とプラグ４０とが接続状態であると検知されると、バーナ１を点火する点火処理を実行し、以降、運転スイッチ２０により運転停止が指令されると、バーナ１を消火する消火処理を実行するように構成されている。
【００４４】
制御部４は、点火処理では、送風機５を作動させ、その送風機５の作動後、プリパージ用設定時間が経過するとイグナイタ２を作動させ且つ開閉弁１５及び比例弁１６夫々を開弁し、熱電対１３の起電力によりバーナ１の着火を検知するとイグナイタ２の作動を停止する（燃料供給状態に切り換えることに相当する）処理を実行し、消火処理では、開閉弁１５及び比例弁１６夫々を閉弁し（燃料供給停止状態に切り換えることに相当する）、それらの閉弁後、ポストパージ用設定時間が経過すると送風機５を停止させる処理を実行する。ちなみに、プリパージ用設定時間は例えば４〜７秒の範囲の時間に設定され、ポストパージ用設定時間は例えば１００〜１６０秒の範囲の時間に設定される。
【００４５】
制御部４は、点火処理の開始時点から消火処理が終了するまでの間、可燃性ガスセンサ３の検出電圧Ｖｍに基づいて燃料漏れの発生の有無を検知する燃料漏れ検知処理を実行し、並びに、ＣＯセンサ１７の検出電圧Ｖｃに基づいて不完全燃焼の発生の有無を検知する不完全燃焼検知処理を実行する。
そして、制御部４は、燃料漏れ検知処理において可燃性ガスセンサ３の検出電圧Ｖｍが燃料漏れ検知用設定値Ｓｍａよりも高くなって（即ち、燃料漏れ検知用設定値Ｓｍａよりも可燃性ガス濃度が高い信号になることに相当する）燃料漏れを検知すると、送風機５の作動を継続した状態で開閉弁１５及び比例弁１６夫々を閉弁するように構成されている。
【００４６】
このようにして、燃料漏れを検知すると、バーナ１の燃焼を停止するのであるが、本発明では、このような燃料漏れによりバーナ１の燃焼を停止させた後には、可燃性ガスの濃度が燃料漏れを検知するための濃度よりも低い安全な濃度になるまで、バーナ１の燃焼を再開することができないようにしている。
つまり、本発明では、制御部４は、可燃性ガスセンサ３の検出電圧Ｖｍが燃料漏れ時待機解除用設定値Ｓｍｒよりも低くなり（即ち、燃料漏れ時待機解除用設定値Ｓｍｒよりも可燃性ガス濃度が低い信号になることに相当する）、且つ、接続検知スイッチ２８がオフ状態になった後に再びオン状態になる（即ち、非接続状態であると検知された後に再び接続状態であると検知されることに相当する）まで、運転スイッチ２０による運転開始の指令を受け付けない（即ち、バーナ１の燃焼開始を禁止することに相当する）ように構成されている。
又、制御部４は、燃料漏れ検知処理において燃料漏れを検知すると、可燃性ガスセンサ３の検出電圧Ｖｍが燃料漏れ時待機解除用設定値Ｓｍｒよりも低くなるまで、送風機５の作動を継続するように構成されている。
【００４７】
制御部４は接続検知スイッチ２８がオン状態である（即ち、継手部材３０とプラグ４０とが接続状態であると検知されることに相当する）ときに点火処理を実行することになり、継手部材３０とプラグ４０とが接続状態であると検知された状態で燃料漏れ検知処理が実行されるので、制御部４が、燃料漏れを検知したときに接続検知スイッチ２８により前記接続状態であると検知されている場合は、接続検知スイッチ２８により前記非接続状態であると検知された後に再び前記接続状態であると検知されるまで、バーナ１の燃焼開始を禁止するように構成されていることになる。
【００４８】
又、制御部４は、不完全燃焼検知処理においてＣＯセンサ１７の検出電圧Ｖｃが不完全燃焼検知用設定値Ｓｃａよりも高くなって不完全燃焼を検知すると、送風機５の作動を継続した状態で開閉弁１５及び比例弁１６夫々を閉弁するように構成されている。
このようにして、不完全燃焼を検知すると、バーナ１の燃焼を停止するのであるが、本発明では、このような不完全燃焼によりバーナ１の燃焼を停止させた後には、不完全燃焼ガスの濃度が不完全燃焼を検知するための濃度よりも低い安全な濃度になるまで、バーナ１の燃焼を再開することができないようにしている。
つまり、本発明では、制御部４は、ＣＯセンサ１７の検出電圧Ｖｃが不完全燃焼時待機解除用設定値Ｓｃｒよりも低くなるまで、運転スイッチ２０による運転開始の指令を受け付けないように構成されている。
又、制御部４は、不完全燃焼検知処理において不完全燃焼を検知すると、ＣＯセンサ１７の検出電圧Ｖｃが不完全燃焼時待機解除用設定値Ｓｃｒよりも低くなるまで、送風機５の作動を継続するように構成されている。
【００４９】
又、制御部４は、燃料漏れ検知処理において燃料漏れを検知して開閉弁１５及び比例弁１６夫々を閉弁するときは、可燃性ガスセンサ３のセンサ素子の温度をその加熱目標温度にするための加熱制御部の制御を継続し、並びに、ＣＯセンサ１７のセンサ素子の温度をその加熱目標温度にするための加熱制御部の制御を継続することにより、可燃性ガスセンサ３及びＣＯセンサ１７夫々を検出可能状態に維持するように構成されている。
又、制御部４は、不完全燃焼検知処理において不完全燃焼を検知して開閉弁１５及び比例弁１６夫々を閉弁するときも、同様に、可燃性ガスセンサ３及びＣＯセンサ１７夫々を検出可能状態に維持するように構成されている。
【００５０】
更に、制御部４は、燃料漏れ検知処理において燃料漏れを検知すると、あるいは、不完全燃焼検知処理において不完全燃焼を検知すると、スピーカ２１により使用者に部屋の換気を促す旨の換気メッセージを報知するように構成されている。
つまり、制御部４とスピーカ２１により、燃料漏れ又は不完全燃焼を検知すると換気を促すことを示す情報を出力する警報手段Ａが構成されている。
【００５１】
次に、制御部４による一連の制御動作を図５に示すフローチャートに基づいて説明する。
制御部４は、電源コード１８のプラグ１９が電源コンセントに挿入されるのに伴って駆動用電力が供給されると、制御動作を開始する。
そして、制御部４は、運転スイッチ２０により運転開始が指令されると、可燃性ガスセンサ３及びＣＯセンサ１７夫々を検出可能状態にすべくセンサ起動処理を実行し、続いて、接続検知スイッチ２８がオン状態かオフ状態かを判別することにより継手部材３０とプラグ４０とが接続状態であるか非接続状態であるかを判別して、非接続状態の場合は、スピーカ２１により継手部材３０が接続されていない旨の接続異常メッセージを報知し、接続状態である場合は、バーナ１を点火する点火処理を実行する（ステップ＃１〜５）。
【００５２】
制御部４は、その点火処理の実行後、運転スイッチ２０により運転停止が指令されるまで、暖房対象空間の温度を検出する室温センサ（図示省略）の検出温度が暖房目標温度になるように比例弁１６の開度を調節してバーナ１の燃焼量を調整する燃焼量調整制御、可燃性ガスセンサ３の検出電圧Ｖｍに基づいて燃料漏れの発生の有無を検知する燃料漏れ検知処理、及び、ＣＯセンサ１７の検出電圧Ｖｃに基づいて不完全燃焼の発生の有無を検知する不完全燃焼検知処理を実行し、燃料漏れ及び不完全燃焼のいずれも検知しない状態で運転スイッチ２０により運転停止が指令されると、消火処理を実行し、並びに、可燃性ガスセンサ３及びＣＯセンサ１７夫々へのセンサ駆動用電力の供給を停止するように夫々の加熱制御部の作動を制御するセンサ停止処理を実行した後、リターンする（ステップ＃６〜１１）。
ちなみに、制御部４は、燃焼量調整制御を燃焼量調整用の設定周期毎に実行し、並びに、燃料漏れ検知処理及び不完全燃焼検知処理を異常検知用の設定周期毎に実行する。
【００５３】
制御部４は、ステップ＃７において、可燃性ガスセンサ３の検出電圧Ｖｍが燃料漏れ検知用設定値Ｓｍａよりも高くなって燃料漏れを検知すると、開閉弁１５及び比例弁１６夫々を閉弁し、異常報知ランプ２２を点灯し、並びに、スピーカ２１により使用者に部屋の換気を促す旨の換気メッセージ及び継手部材３０の接続し直しを促す旨の接続し直しメッセージを報知し、その後、可燃性ガスセンサ３の検出電圧Ｖｍが燃料漏れ時待機解除用設定値Ｓｍｒよりも低くなり、且つ、接続検知スイッチ２８がオフ状態になった後に再びオン状態になって継手部材３０がプラグ４０に再接続されたことを判別すると、異常報知ランプ２２を消灯し、送風機５を停止し、並びに、センサ停止処理を実行した後、リターンする（ステップ＃１２〜１９，１１）。
このステップ＃７での燃料漏れ検知では、接続検知スイッチ２８により継手部材３０とプラグ４０との接続異常が検知されていないが、異物を噛み込んだ状態で継手部材３０とプラグ４０とが接続されている場合もあるので、「継手部材３０の接続をし直して下さい」等の接続し直しメッセージを報知するように構成されている。
つまり、燃料漏れが検知されると、可燃性ガスセンサ３の検出電圧Ｖｍが燃料漏れ時待機解除用設定値Ｓｍｒよりも低くなり、且つ、接続検知スイッチ２８により継手部材３０とプラグ４０とが非接続状態であると検知された後に再び接続状態であると検知されるまで、運転スイッチ２０による運転開始の指令が受け付けられず、ガスファンヒータの運転を再開することができない。
【００５４】
又、制御部４は、ステップ＃８において、ＣＯセンサ１７の検出電圧Ｖｃが不完全燃焼検知用設定値Ｓｃａよりも高くなって不完全燃焼を検知すると、開閉弁１５及び比例弁１６夫々を閉弁し、異常報知ランプ２２を点灯し、並びに、スピーカ２１により換気メッセージを報知し、その後、ＣＯセンサ１７の検出電圧Ｖｃが不完全燃焼時待機解除用設定値Ｓｃｒよりも低くなると、異常報知ランプ２２を消灯し、送風機５を停止し、並びに、センサ停止処理を実行した後、リターンする（ステップ＃２０〜２３，１８，１９，１１）。
つまり、不完全燃焼が検知されると、ＣＯセンサ１７の検出電圧Ｖｃが不完全燃焼時待機解除用設定値Ｓｃｒよりも低くなるまで、運転スイッチ２０による運転開始の指令が受け付けられず、ガスファンヒータの運転を再開することができない。
【００５５】
〔別実施形態〕
次に別実施形態を説明する。
（イ）  上記の実施形態においては、制御部４を、燃料漏れ検知処理において燃料漏れを検知したときは、開閉弁１５及び比例弁１６を閉弁した後、可燃性ガスセンサ３の検出電圧Ｖｍが燃料漏れ時待機解除用設定値Ｓｍｒよりも低くなるまで送風機５の作動を継続するように構成したが、開閉弁１５及び比例弁１６の閉弁後、ポストパージ用設定時間が経過すると、可燃性ガスセンサ３の検出電圧Ｖｍが燃料漏れ時待機解除用設定値Ｓｍｒよりも低くなるか否かに拘わらず、送風機５を停止するように構成しても良い。
又、制御部４を、不完全燃焼検知処理において不完全燃焼を検知したときは、開閉弁１５及び比例弁１６を閉弁した後、ＣＯセンサ１７の検出電圧Ｖｃが不完全燃焼時待機解除用設定値Ｓｃｒよりも低くなるまで送風機５の作動を継続するように構成したが、開閉弁１５及び比例弁１６の閉弁後、ポストパージ用設定時間が経過すると、ＣＯセンサ１７の検出電圧Ｖｃが不完全燃焼時待機解除用設定値Ｓｃｒよりも低くなるか否かに拘わらず、送風機５を停止するように構成しても良い。
【００５６】
（ロ）  供給源側接続具３０と機器側接続具４０とが接続状態であるか非接続状態であるかを検知する接続状態検知手段を設ける場合、その接続状態検知手段の具体構成は、上記の実施形態において例示した接続検知スイッチ２８に限定されるものではない。
例えば、機器側接続具４０に一対の端子部を設け、供給源側接続具３０に、それが機器側接続具４０に正常に接続された状態で前記一対の端子部を電気的に導通状態にする導通部を設けて、それら一対の端子部と導通部とにより接続状態検知手段を構成しても良い。
【００５７】
（ハ）  上記の実施形態において設けた接続状態検知手段を省略しても良い。
この場合、制御部４は、運転スイッチ２０により運転開始が指令されると、点火処理を実行するように構成する。又、制御部４を、燃料漏れ検知処理において燃料漏れを検知すると、開閉弁１５及び比例弁１６夫々の閉弁後、可燃性ガスセンサ３の検出電圧Ｖｍが燃料漏れ時待機解除用設定値Ｓｍｒよりも低くなるまで、バーナ１の燃焼開始を禁止するように構成する。
【００５８】
（ニ）  燃料漏れ又は不完全燃焼を検知すると換気を促すことを示す情報を出力する警報手段Ａの具体構成は、上記の実施形態において例示した如きスピーカ２１を備えて構成する場合に限定されるものではない。例えば、換気を促すことを示すメッセージを表示出力する表示装置や、ランプを備えて構成しても良い。又、スピーカ２１、表示装置及びランプのうちのいずれか２つ又は全てを備えて構成しても良い。
【００５９】
（ホ）  上記の実施形態においては、可燃性ガスと不完全燃焼ガスとの少なくとも一方に感応して可燃性ガスと不完全燃焼ガスとの少なくとも一方のガス濃度に応じた濃度対応信号を出力するガスセンサとして、可燃性ガスセンサ３とＣＯセンサ１７との両方を設けたが、いずれか一方を設けても良い。
【００６０】
（ヘ）  可燃性ガスセンサ３やＣＯセンサ１７のタイプは、上記の実施形態において例示した如き半導体式に限定されるものではなく、例えば、接触燃焼式、赤外線式、電気化学式等、種々のタイプのセンサを用いることが可能である。
【００６１】
（ト）上記の実施形態では、燃料としてガス燃料を用いるバーナ１を備えた開放型燃焼機器に本発明を適用する場合について例示したが、本発明は燃料として液体燃料を用いるバーナ１を備えた開放型燃焼機器にも適用することが可能であり、この場合は、可燃性ガスセンサ３により、液体燃料を気化させたガスの濃度を検出することになる。
又、燃料としてガス燃料を用いるバーナ１を備えた開放型燃焼機器に本発明を適用する場合、ガス燃料はメタンを主成分とする都市ガスに限定されるものではなく、例えばプロパンガスでも良い。
【００６２】
（チ）  本発明は、上記の実施形態において例示したガスファンヒータ以外に、ガスストーブ、石油ファンヒータ、石油ストーブ、給湯装置等、種々の開放型燃焼機器に適用することができる
【産業上の利用可能性】
【００６３】
以上説明したように、燃料漏れと不完全燃焼との少なくとも一方に対する安全性をより一層向上し得る開放型燃焼機器を提供することができる。
【符号の説明】
【００６４】
１    バーナ
２    点火手段
３    ガスセンサ
４    制御手段
５    送風手段
８    吸気口
９    吹出し口
１０  ケーシング
１７  ガスセンサ
２０  運転指令手段
２８  接続状態検知手段
３０  供給側接続具
４０  機器側接続具
Ａ    警報手段
Ｖ    燃料断続手段
【図１】
2010164213.tif 000003
【図２】
2010164213.tif 000004
【図３】
2010164213.tif 000005
【図４】
2010164213.tif 000006
【図５】
2010164213.tif 000007